(57)【要約】      （修正有）【課題】猪、鹿等の哺乳動物が、田、畑、果樹園に容易に近づかないようにし、動物からの被害を少なくする動物忌避具を提供する。【解決方法】紐４に空洞の容器１を連結し、容器１は、上部に薬効放散用の孔２を複数個設け、容器１下部には、動物忌避剤を載置した。【選択図】図１
0003226446.tif 000002
【実用新案登録請求の範囲】
【請求項１】
紐に空洞の容器を連結し、上記容器は、上部に薬効放散用の孔を複数個設け、容器下部には、動物忌避剤を載置した、動物忌避具。
【請求項２】
請求項１において、動物忌避剤は、カプサイシン、シトロネラ、メントール、木酢の少なくとも１又はそれらを混合したものを粉末状にしたものである、動物忌避具。
【請求項３】
請求項１〜２において、動物忌避剤は、１００ｍｇ〜５００ｍｇ、好ましくは、２００ｍｇ〜３００ｍｇであることを特徴とする、動物忌避具。
【請求項４】
請求項１〜３において、上記容器の上部に、動物忌避剤を逐次充填できる取り外し可能な蓋を設けたことを特徴とする、動物忌避座具。
【請求項５】
請求項１〜４において、上記容器の上部に連結した紐の上端部に、動物忌避具が容易に、構築物、樹木、ネット、若しくは支柱に取付けられるクリップ、輪っか、針金等を連結したことを特徴とする、動物忌避具。
【請求項６】
請求項１〜５において、上記容器の下部に、銀色又は金色若しくは光で反射する短冊を吊るしたことを特徴とする、動物忌避具。
【考案の詳細な説明】
【技術分野】
【０００１】  本考案は、猪、鹿等哺乳動物の忌避具に関するものである。
【背景技術】
【０００２】  本考案は、猪、鹿等が農作物をあらし、これを忌避するのに、従来はいろいろなものが用いられてきた。しかし、それらは、一長一短であり、経済的にも格安で、簡便なものがなかった。
【先行技術文献】
【０００３】  特許文献１によれば、確かにカプサイシン等動物忌避剤を使っているが、カプサイシン等動物忌避剤の保持方法に難点があり、動物忌避剤をリング状に支持材で固め、含侵しなければならず、それをロープで吊るすので、忌避剤の保持方法に難点があり、コストもかかる。
【０００４】  特許文献２によれば、動物忌避剤を直接、畝や土壌に載置する方法で、動物忌避剤が長持ちせず、雨が降った場合などの水たまりに溶解したり、流失したりしやすいものであるから、難点がある。
【０００５】  特許文献３によれば、動物が近づいたとき、動物忌避剤を噴霧するものであるが、センサーや、噴霧装置の機構が複雑で、高価になりやすく、ノズルの方向にしか噴霧しない点や、例えば広い農地などに多数配置したい場合に、初期投資が大変である点が難点である。
【０００６】  特許文献４によれば、広い農地に設置するのと違って、電柱に限っているし、動物忌避剤の載置方法が全然違うので、本考案とは発想を異にする。
【０００７】  特許文献５によれば、動物よけ網に動物忌避剤を被覆形成させたものであるが、大きな網に忌避剤を被覆形成することは膨大な労力を要するものであり、本考案とは忌避剤の載置方法に根本的に相違するものである。
【特許文献】
【０００８】
【特許文献１】特開２００３−１７１２１６号公報
【特許文献２】実用新案登録第３１７９２４８号公報
【特許文献３】実用新案登録第３２２０６１１］号公報
【特許文献４】特開２０１１−１７２４６０号公報
【特許文献５】特開２０００−１０６７６６号公報
【考案の概要】
【考案が解決しようとする課題】
【０００９】  本考案は、猪、鹿等の哺乳動物が、田、畑、果樹園に容易に近づかないように、動物忌避剤の入った容器を、田、畑、果樹園の構築物、支柱、樹木にぶら下げておき、動物からの被害を少なくするものである。
【課題を解決するための手段】
【００１０】  本考案は、」上記目的を達成するため、紐に空洞の容器を連結し、上記容器は、薬効放散用の孔を複数個設け、容器下部には、動物忌避剤を載置した、動物忌避具を提供することである。
更に、本考案は、上記動物忌避剤は、カプサイシン、シトロネラ、メントール、木酢の少なくとも１又はそれらを混合したものを粉末状にしたものである、動物忌避具を提供することである。
また、本考案は、上記動物忌避剤は、１００ｍｇ〜５００ｍｇ、好ましくは、２００ｍｇ〜３００ｍｇであることを特徴とする、動物忌避具を提供することである。
また、さらに、本考案は、上記容器の上部に、動物忌避剤を逐次充填できる取り外し可能な蓋を設けたことを特徴とする、動物忌避座具を提供することである。
また、本考案は、上記容器の上部に連結した紐の上端部に、動物忌避具が容易に、構築物、樹木、ネット、若しくは支柱に取付けられるクリップ、輪っか、針金等を連結したことを特徴とする、動物忌避具を提供することである。
さらにまた、本考案は、上記容器の下部に、銀色又は金色若しくは光で反射する短冊を吊るしたことを特徴とする、動物忌避具を提供することである。
【考案の効果】
【００１１】  動物忌避剤の容器は、簡単に田、畑、果樹園の構築物、支柱、樹木に取り付けることができ、上部に動物忌避剤を容易に投入できる開閉可能な蓋を設けたので、不足分を充填することができ、容器の上部に複数の孔を設けたので、動物忌避剤の薬効が、容易に放散され、かつ、容器の下部には、短冊が設けられ、風等の揺れにより動物忌避剤の薬能が容易に放散されるので、より一層の効果を発するのである。
【図面の簡単な説明】
【００１２】
【図１】図１は、動物忌避具の全体図である。
【図２】図２は、動物忌避具の容器の断面図である。
【考案を実施するための形態】
【００１３】  図１の１は、動物忌避具の容器である。好ましくは、球形であるが、立方体、直方体、星形、三角錐などでもよい。材質は、プラスチックなどが簡易に形成できるので好ましいが、金属、セラミックスなどでもよい。
【００１４】  図１の２は、薬効放散孔である。複数設けるのが好ましい。なるべく、動物忌避剤が、吹き飛ばされないように、上方部にあまり大きくない孔であるのが好ましい。穴の形状は、なんでもよい。
【００１５】  図１の３は、短冊であり、紙、アルミホイール、等でできている。光を反射するものが良く、銀色、金色が良いが、赤や青でもよい。大きさは、微風で容器を程よく揺らすようなものが好ましく、微風で、容器を揺らし、動物忌避剤の薬効を適度の放散させるようにしてある。
５は、短冊釣り紐で、容器と短冊を連結してある。
【００１６】  図２の６は、動物忌避剤である。粉末状のものが好ましい。
動物忌避剤としては、カプサイシン、シトロネラ、メントール、木酢などが挙げられる。
液状のものにあっては、木炭、小麦粉などの粉末に練り込んで、粒子状にして容器１に封入する。粒子径は、微風によって飛散しない程度以上の大きさにしておくのが良い。動物忌避剤は、通常１００ｍｇ−５００ｍｇ、好ましくは２００ｍｇ−３００ｍｇがよい。
【００１６】  図１の７は、開閉蓋であり、容器に動物忌避剤を充填するための蓋であり、最初に入れるときとか、逐次充填するときに使う。蓋は、ヒンジ式、ネジ式、スナップ式いずれでも良い。
【００１７】  図１の７は、クリップであり、動物忌避具の容器を構築物、樹木、ネット、支柱に挟んで、動物忌避具を吊るすものであり、４は、容器吊るし紐で、クリップ、針金、輪っかと容器１を連結している。
【符号の説明】
【００１８】１・・・容器
２・・・薬効放散孔
３・・・短冊
４・・・容器吊るし紐
５・・・短冊吊るし紐
６・・・動物忌避剤
７・・・蓋
８・・・クリップ
【図１】
0003226446.tif 000003
【図２】
0003226446.tif 000004
【手続補正書】
【提出日】令和2年2月27日(2020.2.27)
【手続補正２】
【補正対象書類名】明細書
【補正対象項目名】全文
【補正方法】変更
【補正の内容】
【考案の詳細な説明】
【技術分野】
【０００１】  本考案は、猪鹿等哺乳動物の忌避具に関するものである。
【背景技術】
【０００２】  本考案は、猪、鹿等が農作物をあらし、これを忌避するのに、従来はいろいろなものが用いられてきた。しかし、それらは、一長一短であり、経済的にも格安で、簡便なものがなかった。
【先行技術文献】
【０００３】  特許文献１によれば、確かにカプサイシン等動物忌避剤を使っているが、カプサイシン等動物忌避剤の保持方法に難点があり、動物忌避剤をリング状に支持材で固め、含浸しなければならず、それをロープで吊るすので、忌避剤の保持方法に難点があり、コストもかかる。
【０００４】特許文献２によれば、動物忌避剤を直接、畝や土壌に載置する方法で、動物忌避剤が長持ちせず、雨が降った場合などの水たまりに溶解したり、流出したりしやすいものであるから、難点がある。
【０００５】  特許文献３によれば、動物が近づいたとき、動物忌避剤を噴霧するものであるが、センサー、噴霧装置の機構が複雑で高価になりやすく、ノズルの方向にしか噴霧しない点や、例えば広い農地などに多数はいちしたい場合に、初期投資が大変である点が難点である。
【０００６】  特許文献４によれば、広い農地に設置するのと違って、電柱に限っているし、動物忌避剤の載置方法が全然違うので、本発明とは発想を異にする。
【０００７】  特許文献５によれば、動物避け綱に動物忌避剤を被覆形成させたものであるが、大きな綱に忌避剤を被覆形成することは膨大な労力を要するものであり、本発明とは忌避剤の載置方法が根本的に相違するものである。
【特許文献】
【０００８】
【特許文献１】特開２００３−１７１２１６号公報
【特許文献２】実用新案登録第３１７９２４８号公報
【特許文献３】実用新案登録第３２２０６１１号公報
【特許文献４】特開２０１１−１７２４６０号公報
【特許文献５】特開２０００−１０６７６６号公報
【考案の概要】
【考案が解決しようとする課題】
【０００９】  本考案は、猪、鹿等の哺乳動物が、田、畑、果樹園、ゴルフ場、鉄道、高速道路等に容易に近づかないように、動物忌避剤の入った容器を、構築物、支柱、樹木にぶら下げておき、動物の被害を少なくするものである。
【課題を解決するための手段】
【００１０】  本考案は、上記目的を達成するため、紐に空洞の容器を連結し、上記容器は、薬効放散用の孔を複数個設け、容器下部には、動物忌避剤を載置した、動物忌避具を提供することである。  更に、本考案で、上記動物忌避剤は、カプサイシン、ニンニク、シトロネラ、メントール、木酢液を混合したものを固形状にしたものである、動物忌避具を提供することである。  また、本考案は、上記動物忌避剤が、８ｇの粒状固形物であることを特徴とする、動物忌避具を提供することである。  さらに、本考案は、上記容器の上部に、動物忌避剤を逐次充填できる取り外し可能な蓋を設けたことを特徴とする。動物忌避具を提供することである。  また、本考案は、上記容器の上部に連結した紐の上端部に、動物忌避具が容易に、構築物、樹木、ネット、若しくは支柱に取付けられクリップ、輪っか、針金を連結したことを特徴とする、動物忌避具を提供することである。  さらにまた、本考案は、上記容器の下部に、青色又は赤色若しくは光で反射する短冊を吊るしたことを特徴とする、動物忌避具を提供することである。
【考案の効果】
【００１１】  動物忌避剤の容器は、簡単に構築物、支柱、樹木に取り付けることができ、上部に動物忌避剤を容易に投入できる開閉可能な蓋を設けたので、効能低下後に取り替えることができ、容器の上部に複数の孔を設けたので、動物忌避剤の薬効が、容易に放散され、かつ、容器の下部には、短冊が設けられ、風により揺れ、動物が嫌忌し、より一層の効果を発するのである。
【図面の簡単な説明】
【００１２】
【図１】図１は、動物忌避具の全体図である。
【図２】図２は、動物忌避具の容器の断面図である。
【考案を実施するための形態】
【００１３】  図１の１は、動物忌避具の容器である。好ましいのは、球形であるが、立方体でもよい。材質は、プラスチックは簡易に形成できるので好ましいが、金属、セラミックスなどでもよい。
【００１４】  図１の２は、薬効放散孔である。複数設ける。動物忌避剤が、吹き飛ばされないように、中間部にあまり大きくない孔（直径８ｍｍ）を空ける。
【００１５】  図１の３は、短冊であり、紙、ビニール、でできている。青色がよい。大きさは、微風で程よく揺れるようなものである。
【００１６】  図２の６は、動物忌避剤であり、８ｇの粒状固形物である。  動物忌避剤としては、カプサイシン、ニンニク、シトロネラ、メントール、木酢液などである。  粉末状のものにあっては、タブ粉に練り込んで、固形状にして容器１に封入する。動物忌避剤が飛散しなように布袋に入れる。
【００１７】  図１の７は、開閉蓋であり、容器に動物忌避剤を充填するための蓋であり、最初にいれるときか、取り替えるときに使う。
【００１８】  図１の８は、クリップであり、動物忌避具の容器を構築物、樹木、ネット、支柱につるすものであり、４は、容器吊るし紐で、クリップ、針金、輪っかと容器１を連結している。
【符号の説明】
【００１９】１・・・容器２・・・薬効放参孔３・・・短冊４・・・容器吊るし紐５・・・短冊吊るし紐６・・・動物忌避剤７・・・蓋８・・・クリップ
【手続補正１】
【補正対象書類名】実用新案登録請求の範囲
【補正対象項目名】全文
【補正方法】変更
【補正の内容】
【実用新案登録請求の範囲】
【請求項１】
紐に空洞の容器を連結し、上記容器は、上部に薬効放散用の孔を複数個も設け、容器下部には、動物忌避剤を載置した、動物忌避具。
【請求項２】
請求項１に記載された動物忌避具において、動物忌避剤は、カプサイシン、ニンニク、シトロネラ、メントール、木酢液を混合したものを固形状にしたものである、動物忌避具。
【請求項３】
請求項１に記載された動物忌避具において、動物忌避剤は、８ｇの粒状固形物であることを特徴とする、動物忌避具。
【請求項４】
請求項１に記載された動物忌避具において、上記容器の上部に、動物忌避剤効能低下後に取り替えることができる蓋設けたことを特徴とする、動物忌避座具。
【請求項５】
請求項１に記載された動物忌避具において、上記容器の上部に連結した紐の上端部に、動物忌避具が、構造物、樹木、ネット、若しくは支柱に取り付けられるクリップ、輪っか、針金を連結したことを特徴とする、動物忌避具。
【請求項６】
請求項１に記載された動物忌避具おいて、上記容器の下部に、青色の短冊を吊るしたことを特徴とする、動物忌避具。